(57)【特許請求の範囲】
【請求項１】
酸化膜により被覆された第１主面と第２主面とを有するアルミニウム基板から成る金属基板と、
フィラーが含まれた樹脂から成り、前記金属基板の前記第１主面を被覆する絶縁層と、
前記絶縁層の表面に形成された導電パターンと、
前記絶縁層および前記酸化膜を部分的に除去して設けた開口部と、
前記開口部から露出する前記金属基板に設けられた凹部と、
前記凹部に収納されて前記導電パターンと電気的に接続された発光素子と、を具備し、
前記凹部は、前記開口部の内側に露出する前記金属基板をプレス加工することにより形成されることを特徴とする発光モジュール。
【請求項２】
前記凹部は、底面と、前記底面と前記金属基板の前記第１主面とを連続させる側面とを具備し、
前記側面は、前記金属基板の前記第１主面に接近するほど幅が広くなる傾斜面であることを特徴とする請求項１に記載の発光モジュール。
【請求項３】
前記凹部の側面は、金または銀の材料から成る被覆層により被覆されることを特徴とする請求項１または請求項２に記載の発光モジュール。
【請求項４】
前記凹部に充填されると共に、前記発光素子を被覆する封止樹脂を更に具備することを特徴とする請求項１から請求項３の何れかに記載の発光モジュール。
【請求項５】
前記絶縁層の前記開口部に面する側面は、前記絶縁層に含まれるフィラーが露出することを特徴とする請求項１から請求項４の何れかに記載の発光モジュール。
【請求項６】
前記凹部は、前記発光素子の厚みよりも深く形成されることを特徴とする請求項１から請求項５の何れかに記載の発光モジュール。
【請求項７】
一主面が酸化膜により被覆されたアルミニウム基板から成り、前記アルミニウム基板の一主面がフィラーを含む樹脂から成る絶縁層で覆われ、前記絶縁層の表面に導電パターンが形成された金属基板を用意する工程と、
前記絶縁層および前記酸化膜の一部を除去して開口部を設け、前記開口部から前記アルミニウム基板の一主面を部分的に露出させる工程と、
前記開口部から前記アルミニウム基板が露出する前記金属基板をプレス加工して凹状にすることにより凹部を形成する工程と、
前記凹部に発光素子を収納させる工程と、
前記発光素子と前記導電パターンとを電気的に接続する工程と、を具備することを特徴とする発光モジュールの製造方法。
【請求項８】
金または銀の材料から成る被覆層により前記凹部の内壁を被覆する工程を更に具備することを特徴とする請求項７に記載の発光モジュールの製造方法。
【請求項９】
前記凹部の内壁を被覆する工程では、
前記金属基板を電極として用いて電解メッキ処理を行うことで、前記被覆層を成膜することを特徴とする請求項８に記載の発光モジュールの製造方法。
【請求項１０】
酸化膜により被覆されたアルミニウムから成り、一主面がフィラーを含む樹脂から成る絶縁層で覆われ、前記絶縁層の表面に導電パターンが形成され、前記絶縁層および前記酸化膜の一部を除去して開口部が設けられ、前記開口部から露出する前記アルミニウムをプレス加工して凹状にすることにより凹部が形成された金属基板を用意する工程と、
前記凹部に発光素子を収納して、前記発光素子と前記導電パターンとを電気的に接続する工程と、を具備することを特徴とする発光モジュールの製造方法。
【発明の詳細な説明】
【技術分野】
【０００１】
本発明は、発光モジュールおよびその製造方法に関し、特に、高輝度の発光素子が実装される発光モジュールおよびその製造方法に関する。
【背景技術】
【０００２】
ＬＥＤ（Ｌｉｇｈｔ  Ｅｍｉｔｔｉｎｇ  Ｄｉｏｄｅ）に代表される半導体発光素子は、寿命が長く且つ視認性が高いので、交通信号機等や自動車のランプ等に使用されてきている。また、ＬＥＤは、照明機器としても採用されつつある。
【０００３】
ＬＥＤを照明機器に使用するときは、一つのＬＥＤのみでは明るさが不十分であるため、１つの照明機器に多数個のＬＥＤが実装される。しかしながら、ＬＥＤは発光時に多量の熱を放出するので、放熱性に劣る樹脂材料から成る実装基板にＬＥＤを実装したり、個々のＬＥＤを個別に樹脂パッケージすると、ＬＥＤから放出された熱が外部に良好に放出されずに、ＬＥＤの性能が早期に低下してしまう問題があった。
【０００４】
下記特許文献１では、ＬＥＤから発生する熱を良好に外部に放出させるために、アルミニウムから成る金属基板の上面にＬＥＤを実装する技術が開示されている。特に、特許文献１の図２を参照すると、金属基板１１の上面を絶縁性樹脂１３により被覆し、この絶縁性樹脂１３の上面に形成された導電パターン１４の上面に発光素子１５（ＬＥＤ）を実装している。この構成により、発光素子１６から発生した熱は、導電パターン１４、絶縁性樹脂１３および金属基板１１を経由して外部に放出される。
【特許文献１】特開２００６−１００７５３号公報
【発明の開示】
【発明が解決しようとする課題】
【０００５】
しかしながら、特許文献１に記載された技術では、ＬＥＤである発光素子１５が固着される導電パターン１４と金属基板１１との間に絶縁性樹脂１３が介在している。ここで、絶縁性樹脂１３は放熱性向上の為にフィラーが高充填されているものであるが、金属と比較すると熱抵抗が高い。従って、例えば２００ｍＡ以上の大電流が流れる高輝度のＬＥＤを発光素子１６として発光すると、特許文献１に記載された構成は、放熱が不十分である虞があった。
【０００６】
本発明は、上述した問題を鑑みてなされ、本発明の主な目的は、放熱性が向上された発光モジュールおよびその製造方法を提供することにある。
【課題を解決するための手段】
【０００７】
本発明の発光モジュールは、酸化膜により被覆された第１主面と第２主面とを有するアルミニウム基板から成る金属基板と、フィラーが含まれた樹脂から成り、前記金属基板の前記第１主面を被覆する絶縁層と、前記絶縁層の表面に形成された導電パターンと、前記絶縁層および前記酸化膜を部分的に除去して設けた開口部と、前記開口部から露出する前記金属基板に設けられた凹部と、前記凹部に収納されて前記導電パターンと電気的に接続された発光素子と、を具備し、前記凹部は、前記開口部の内側に露出する前記金属基板をプレス加工することにより形成されることを特徴とする。
【０００８】
本願発明の発光モジュールの製造方法は、一主面が酸化膜により被覆されたアルミニウム基板から成り、前記アルミニウム基板の一主面がフィラーを含む樹脂から成る絶縁層で覆われ、前記絶縁層の表面に導電パターンが形成された金属基板を用意する工程と、前記絶縁層および前記酸化膜の一部を除去して開口部を設け、前記開口部から前記アルミニウム基板の一主面を部分的に露出させる工程と、前記開口部から前記アルミニウム基板が露出する前記金属基板をプレス加工して凹状にすることにより凹部を形成する工程と、前記凹部に発光素子を収納させる工程と、前記発光素子と前記導電パターンとを電気的に接続する工程と、を具備することを特徴とする。
更に、本願発明の発光モジュールの製造方法は、酸化膜により被覆されたアルミニウムから成り、一主面がフィラーを含む樹脂から成る絶縁層で覆われ、前記絶縁層の表面に導電パターンが形成され、前記絶縁層および前記酸化膜の一部を除去して開口部が設けられ、前記開口部から露出する前記アルミニウムをプレス加工して凹状にすることにより凹部が形成された金属基板を用意する工程と、前記凹部に発光素子を収納して、前記発光素子と前記導電パターンとを電気的に接続する工程と、を具備することを特徴とする。
【発明の効果】
【０００９】
本発明によれば、金属基板を被覆する絶縁層を部分的に除去して開口部を設け、この開口部から露出する金属基板の主面を凹部とし、この凹部に発光素子を固着している。従って、発光素子が金属基板の凹部に直に固着されるので、発光素子から発生した熱は、金属基板を経由して良好に外部に放出される。
【００１０】
更に、凹部の側面を傾斜面にすることでリフレクタとして利用しているので、必要とされる部品点数を削減して、発光モジュールのコストを安くすることができる。
【発明を実施するための最良の形態】
【００１１】
図１を参照して、本発明の発光モジュール１０の構成を説明する。図１（Ａ）は発光モジュール１０の斜視図であり、図１（Ｂ）は図１（Ａ）のＢ−Ｂ’線に於ける断面図であり、図１（Ｃ）は図１（Ａ）のＣ−Ｃ’線に於ける断面図である。
【００１２】
これらの図を参照して、発光モジュール１０は、金属基板１２と、金属基板１２の上面に形成された導電パターン１４と、金属基板１２の上面を部分的に凹状にすることで設けられた凹部１８と、凹部１８に収納された発光素子２０と、発光素子２０を被覆する封止樹脂３２とから主に構成されている。
【００１３】
図１（Ａ）を参照して、発光モジュール１０は、一枚の板状の金属基板１２の上面に複数の発光素子２０が実装されている。そして、導電パターン１４および金属細線１６を経由して、これらの発光素子２０が直列に接続されている。この様な構成の発光モジュール１０に直流の電流を供給することにより、発光素子２０から所定の色の光が発光され、発光モジュール１０は、例えば蛍光灯の如き照明器具として機能する。
【００１４】
金属基板１２は、銅（Ｃｕ）やアルミニウム（Ａｌ）等の金属から成る基板であり、例えば、厚さは０．５ｍｍ〜２．０ｍｍ程度であり、幅は５ｍｍ〜２０ｍｍ程度であり、長さは、１０ｃｍ〜５０ｃｍ程度である。金属基板１２がアルミニウムから成る場合、金属基板１２の上面および下面は、アルミニウムを陽極酸化させた酸化膜２２（アルマイト膜：Ａｌ２Ｏ３）により被覆される。図１（Ｂ）を参照して、金属基板１２を被覆する酸化膜２２の厚みは、例えば１μｍ〜１０μｍ程度である。更に、金属基板１２は、所定の光量を確保するために、多数の発光素子２０が列状に配置されるので、非常に細長い形状を呈している。そして、金属基板１２の長手方向の両端には、外部の電源と接続される外部接続端子が形成されている。この端子は、差込型のコネクタでも良いし、配線を導電パターン１４に半田付けするものでも良い。
【００１５】
図１（Ｃ）を参照して、金属基板１２の側面は、外側に突出する形状となっている。具体的には、金属基板１２の上面から連続して外側に向かって傾斜する第１傾斜部３６と、金属基板１２の下面から連続して外側に向かって傾斜する第２傾斜部３８とから、金属基板１２の側面は構成されている。この構成により、金属基板１２の側面の面積を、平坦な状態と比較すると、大きくすることが可能となり、金属基板１２の側面から外部に放出される熱量が増大される。特に、金属基板１２の側面は、熱抵抗が大きい酸化膜２２により被覆されずに、放熱性に優れる金属材料が露出する面であるので、この構成によりモジュール全体の放熱性が向上される。
【００１６】
図１（Ｂ）を参照して、金属基板１２の上面は、Ａｌ２Ｏ３等のフィラーが混入された樹脂から成る絶縁層２４により被覆されている。絶縁層２４の厚みは、例えば５０μｍ程度である。絶縁層２４は、金属基板１２と導電パターン１４とを絶縁させる機能を有する。また、絶縁層２４には多量のフィラーが混入されており、このことにより、絶縁層２４の熱膨張係数を金属基板１２に近似させることができると共に、絶縁層２４の熱抵抗が低減される。例えば、絶縁層２４には、フィラーが７０体積％〜８０体積％程度含まれる。更に、含まれるフィラーの平均粒径は例えば、４μｍ程度である。
【００１７】
図１（Ａ）および図１（Ｂ）を参照して、導電パターン１４は、絶縁層２４の上面に形成されており、各発光素子２０を導通させる経路の一部として機能している。この導電パターン１４は、絶縁層２４の上面に設けられた銅等から成る導電箔をエッチングすることにより形成される。更に、金属基板１２の両端に設けられた導電パターン１４は、外部との接続に寄与する外部接続端子として機能する場合もある。
【００１８】
発光素子２０は、上面に２つの電極（アノード電極、カソード電極）を有し、所定の色の光を発光させる素子である。発光素子２０の構成は、ガリウムヒ素（ＧａＡｓ）等なら成る半導体基板の上面にＮ型の半導体層と、Ｐ型の半導体層が積層された構成と成っている。また、発光素子２０の具体的な大きさは、例えば、縦×横×厚み＝３ｍｍ×３ｍｍ×０．２ｍｍ程度である。更に、発光素子２０の厚みは、発光する光の色により異なり、例えば、赤色の光を発光する発光素子２０の厚みは１５０μｍ程度であり、緑色の光を発光する発光素子２０の厚みは２８０μｍ程度であり、青色の光を発光する発光素子２０の厚みは１５０μｍ程度である。発光素子２０に電圧を印加すると、上面および側面の上部から光が発光される。ここで、本発明の発光モジュール１０の構成は、放熱性に優れているので、例えば１００ｍＡ以上の電流が通過する発光素子２０（パワーＬＥＤ）に対して特に有効である。
【００１９】
図１（Ｂ）では、発光素子２０から発光される光を白抜きの矢印で示している。発光素子２０の上面から発光された光は、そのまま上方に照射される。一方、発光素子２０の側面から側方に発光した光は、凹部１８の側面３０にて上方に反射される。更に、発光素子２０は、発光体が混入された封止樹脂３２により被覆されているので、発光素子２０から発生した光は、封止樹脂３２を透過して外部に発光される。
【００２０】
更に、発光素子２０の上面には、２つの電極（アノード電極、カソード電極）が設けられ、これらの電極は金属細線１６を経由して、導電パターン１４と接続される。ここで、発光素子２０の電極と金属細線１６との接続部は、封止樹脂３２により被覆されている。
【００２１】
図１（Ｂ）を参照して、ＬＥＤから成る発光素子２０が実装される箇所の形状を説明する。先ず、絶縁層２４を部分的に円形の除去することにより開口部４８が設けられている。そして、開口部４８の内側から露出する金属基板１２の上面を凹状に窪ませることで、凹部１８が形成され、この凹部１８の底面２８に発光素子２０が固着されている。更に、凹部１８および開口部４８に充填された封止樹脂３２により、発光素子２０が被覆されている。
【００２２】
凹部１８は、金属基板１２を上面から凹状に形成することにより設けられ、底面２８は円形を呈している。また、凹部１８の側面は、発光素子２０の側面から側方に発光された光を上方に反射するためのリフレクタとして機能しており、側面３０の外側と底面２８とが成す各θの角度は、例えば４０度〜６０度程度である。また、凹部１８の深さは、発光素子２０の厚みよりも長くても良いし短くても良い。例えば、凹部１８の厚みを、発光素子２０と接合材２６の厚みを加算した長さよりも長くすると、発光素子２０が凹部１８に収納され、発光素子２０の上面を金属基板１２の上面よりも下方に位置させることができる。
【００２３】
凹部１８の底面２８、側面３０およびその周辺部の金属基板１２の上面は、被覆層３４により被覆されている。被覆層３４の材料としては、メッキ処理により形成された金（Ａｕ）や銀（Ａｇ）が採用される。また、被覆層３４の材料として金属基板１２の材料よりも反射率が大きい材料（例えば金や銀）を採用すると、発光素子２０から側方に発光された光をより効率的に、上方に反射させることができる。また、被覆層３４は、発光モジュール１０の製造工程に於いて、金属が露出する凹部１８の内壁が酸化することを防止する機能を有する。
【００２４】
更に凹部の底面２８では、金属基板１２の表面を被覆する酸化膜２２が除去されている。酸化膜２２は、金属基板１２を構成する金属よりも熱抵抗が大きい。従って、発光素子２０が実装される凹部１８の底面から酸化膜２２を除去することで、金属基板１２全体の熱抵抗が低減される。
【００２５】
封止樹脂３２は、凹部１８および開口部４８に充填されて、発光素子２０を封止している。封止樹脂３２は、耐熱性に優れたシリコン樹脂に発光体が混入された構成となっている。例えば、発光素子２０から青色の光が発光されて、封止樹脂３２に黄色の発光体が混入されると、封止樹脂３２を透過した光は白色となる。従って、発光モジュール１０を、白色の光を発光させる照明器具として利用することが可能となる。
【００２６】
また、開口部４８に面する絶縁層２４の側面は、フィラーが露出する粗面となっている。このことから、粗面である絶縁層２４の側面と封止樹脂３２との間にアンカー効果が発生して、封止樹脂３２の剥離を防止できる利点がある。
【００２７】
接合材２６は、発光素子２０の下面と凹部１８とを接着させる機能を有する。発光素子２０は下面に電極を有さないので、接合材２６としては、絶縁性の樹脂から成るものでも良いし、放熱性向上のために半田等の金属から成るものでも良い。また、凹部１８の底面は、半田の濡れ性に優れる銀等から成るメッキ膜（被覆層３４）により被覆されているので、接合材２６として、容易に半田を採用できる。
【００２８】
本発明では、金属基板１２の上面にベアの発光素子２０を実装することにより、発光素子２０から発生する熱を極めて効率的に外部に放出できる利点がある。具体的には、上記した従来例では、絶縁層の上面に形成された導電パターンに発光素子を実装していたので、絶縁層により熱の伝導が阻害されて、発光素子２０から放出された熱を効率的に外部に放出させることが困難であった。一方、本発明では、発光素子２０が実装される領域では、絶縁層２４および酸化膜２２を除去して開口部４８を形成し、この開口部４８から露出する金属基板１２の表面に発光素子２０を固着している。このことにより、発光素子２０から発生した熱は、直ちに金属基板１２に伝わり外部に放出されるので、発光素子２０の温度上昇が抑制される。また、温度上昇が抑制されることにより、封止樹脂３２の劣化も抑制される。
【００２９】
更に、本発明によれば、金属基板１２の上面に設けた凹部１８の側面をリフレクタとして利用できる。具体的には、図１（Ｂ）を参照して、凹部１８の側面は、金属基板１２の上面に近づくに従って幅が広くなる傾斜面となっている。従って、この側面３０により、発光素子２０の側面から側方に向かって発光された光が反射して、上方に向かって照射される。即ち、発光素子２０を収納させる凹部１８の側面３０が、リフレクタとしての機能を兼用している。従って、一般的な発光モジュールのようにリフレクタを別途用意する必要がないので、部品点数を削減してコストを安くすることができる。更に、上記したように、凹部の側面３０を反射率が大きい材料により被覆することで、側面３０のリフレクタとしての機能を高めることもできる。
【００３０】
次に、図２から図９を参照して、上記した構成の発光モジュール１０の製造方法を説明する。
【００３１】
第１工程：
図２を参照して、先ず、発光モジュール１０の材料となる基板４０を用意して、導電パターンを形成する。
【００３２】
図２（Ａ）を参照して、先ず、基板４０としては、例えば銅またはアルミニウムを主材料とする金属から成り、厚みは０．５ｍｍ〜２．０ｍｍ程度である。基板４０の平面的な大きさは、例えば、１ｍ×１ｍ程度であり、多数個の発光モジュールが一枚の基板４０から製造される。基板４０がアルミニウムから成る基板である場合、基板４０の上面および下面は、上述した陽極酸化膜により被覆されている。
【００３３】
基板４０の上面は、厚みが５０μｍ程度の絶縁層４２により全面的に被覆されている。この絶縁層４２の組成は、上述した絶縁層２４と同様であり、フィラーが高充填された樹脂材料から成る。また、絶縁層４２の上面には、厚みが５０μｍ程度の銅から成る導電箔４４が全面的に形成されている。
【００３４】
図２（Ｂ）を参照して、次に、選択的なウェットエッチングを行うことにより、導電箔４４をパターニングして、導電パターン１４を形成する。この導電パターン１４は、基板４０に設けられるユニット４６毎に同一の形状を有する。ここで、ユニット４６とは、１つの発光モジュールを構成する部位のことである。
【００３５】
図２（Ｃ）に、本工程が終了した基板４０の平面図を示す。ここでは、ユニット４６同士の境界が点線により示されている。ユニット４６の形状は、例えば縦×横が＝０．５ｃｍ×３０ｃｍ程度であり、極めて細長い形状を有する。
【００３６】
第２工程：
図３を参照して、次に、基板４０の各ユニット４６に関して、絶縁層を部分的に除去して開口部４８を設ける。
【００３７】
図３（Ａ）を参照して、上方から絶縁層４２にレーザを照射する。ここでは、照射されるレーザは矢印により示されており、発光素子が載置される部分に対応した絶縁層４２に対して、レーザが照射される。ここで、使用されるレーザは、炭酸ガスレーザまたはＹＡＧレーザである。
【００３８】
図３（Ｂ）及び図３（Ｃ）を参照して、上記したレーザ照射により、絶縁層４２が部分的に円形に除去されて開口部４８が形成されている。特に、図３（Ｃ）を参照すると、レーザ照射により、絶縁層４２だけでなく、基板４０の上面を被覆する酸化膜２２も除去されている。従って、開口部４８の底面からは、基板４０を構成する金属材料（例えばアルミニウム）が露出する。
【００３９】
図３（Ｄ）を参照して、上述した開口部４８は円形であり、各ユニット４６の発光素子が固着される領域に対応して設けられている。ここで、開口部４８の平面的な大きさは、後の工程にて開口部４８の内部に形成される凹部よりも大きく形成されている。即ち、開口部４８の外周端部は、凹部の外周端部から離間されている。このことにより、凹部を形成するために行われるプレスによる衝撃により、脆い絶縁層が破壊されることを抑止することができる。
【００４０】
第３工程：
図４を参照して、次に、開口部４８から露出する基板４０の上面から凹部１８を形成する。凹部１８の形成は、選択的なエッチング、ドリル加工、プレス加工等により可能であるが、以下ではプレス加工による凹部１８の形成方法を説明する。
【００４１】
図４（Ａ）を参照して、先ず、プレス用の金型を用意する。金型５０には、基板４０の各開口部４８に対応した領域に、凸部５２が設けられている。各凸部５２は、形成予定の凹部１８に対応した形状を有し、先端部を切断した円錐の如き形状である。金型５０を下方にプレスすることにより、金型５０の各凸部５２で、開口部４８から露出する基板４０の上面が押圧されて凹部１８が形成される。
【００４２】
図４（Ｂ）に形成された凹部１８の形状を示す。上記したプレス加工により、底面２８が円形であり側面３０が傾斜面である凹部１８が形成される。また、形成される凹部１８の深さは、後の工程にて実装される発光素子が完全に収納される程度でも良いし、発光素子が部分的に収納される程度でも良い。具体的には、凹部１８の深さは、例えば１００μｍ〜３００μｍ程度である。
【００４３】
図４（Ｃ）を参照して、各ユニット４６の発光素子が載置される予定の領域に、上述した方法で、凹部１８が形成される。
【００４４】
第４工程：
図５（Ａ）および図５（Ｂ）を参照して、次に、各ユニット４６同士の間に、分離用の溝を設ける。図５（Ａ）を参照すると、基板４０の各ユニット４６同士の間には、上面から第１溝５４が形成され、下面からは第２溝５６が形成されている。両溝の断面は、Ｖ型の形状を呈する。
【００４５】
ここで、第１溝５４および第２溝５６は、両方とも同じ大きさ（深さ）でも良いし、一方が他方よりも大きく形成されても良い。更には、後の工程にて問題が発生しなければ、第１溝５４および第２溝５６のどちらか一方のみが設けられても良い。
【００４６】
第１溝５４および第２溝５６の形成は、ユニット４６同士の境界に沿って、Ｖ型の断面形状のカットソーを高速に回転させて、部分的な切断をすることにより形成される。更に、本工程では、この切断により基板４０が個々に分離されるのではなく、溝を形成した後も、基板４０は一枚の板の状態を呈している。
【００４７】
第５工程：
図６を参照して、本工程では、開口部４８から露出する基板４０の表面を被覆層３４により被覆する。
【００４８】
本工程では、金属から成る基板４０を電極として用いて通電させることにより、開口部４８から露出する基板４０の表面に、メッキ膜である被覆層３４を被着させる。被覆層３４の材料としては、金または銀等が採用される。また、第１溝５４および第２溝５６の表面にメッキ膜が付着することを防止するためには、これらの部位の表面をレジストにより被覆すればよい。また、基板４０の裏面に関しては、絶縁物である酸化膜２２により被覆されているので、メッキ膜は付着されない。
【００４９】
本工程にて、凹部１８が被覆層３４により被覆されることにより、例えばアルミニウムから成る金属面が酸化することを防止することができる。更に、凹部１８の底面２８が被覆層３４により被覆されることで、被覆層３４が銀等の半田の濡れ性に優れる材料であれば、後の工程にて、発光素子を半田を用いて容易に実装できる。更にまた、凹部１８の側面３０が、反射率が高い材料から成る被覆層３４により被覆されることで、側面３０のリフレクタとしての機能を向上させることができる。
【００５０】
第６工程：
図７の各図を参照して、次に、各ユニット４６の凹部１８に発光素子２０（ＬＥＤチップ）を実装して、電気的に接続する。図７（Ｂ）を参照して、発光素子２０の下面は、接合材２６を介して凹部１８の底面２８に実装される。発光素子２０は下面に電極を有さないので、接合材２６としては、樹脂から成る絶縁性接着剤または導電性接着材の両方が採用可能である。また、導電性接着材としては、半田または導電性ペーストの両方が採用可能である。更に、凹部１８の底面２８は、半田の濡れ性に優れる銀等のメッキ膜から成るので、絶縁性材料よりも熱伝導性に優れた半田を接合材２６として採用できる。
【００５１】
発光素子２０の固着が終了した後に、発光素子２０の上面に設けた各電極と導電パターン１４とを金属細線１６を経由して接続する。
【００５２】
第７工程：
図８の各図を参照して、次に、基板４０に設けた各ユニット４６の凹部に封止樹脂３２を充填させて、発光素子２０を封止する。封止樹脂３２は、発光体が混入されたシリコン樹脂からなり、液状または半固形状の状態で、封止樹脂３２を凹部１８および開口部４８に充填される。このことにより、発光素子２０の側面および上面と、発光素子２０と金属細線１６との接続部が、封止樹脂３２により被覆される。
【００５３】
各凹部１８に対して、個別に封止樹脂３２を供給して封止することにより、基板４０の上面に全体的に封止樹脂３２を形成した場合と比較して、封止樹脂３２に含まれる蛍光体の隔たりが抑止される。従って、発光モジュールから発光される色が均一化される。
【００５４】
第８工程：
図９の各図を参照して、次に、第１溝５４および第２溝５６が形成された箇所で、基板４０を各ユニットに分離する。
【００５５】
各ユニット４６同士の間には、両溝が形成されているので、基板４０の分離は容易に行うことができる。この分離方法としては、プレスによる打ち抜き、ダイシング、両溝が形成された箇所に於ける基板４０の折り曲げ等が採用できる。
【００５６】
以上の工程により、図１に示した構成の発光モジュールが製造される。
【００５７】
ここで、上記した工程は、順序を入れ替えることも可能である。例えば、図６に示した第１溝５４等を形成する工程を、図８に示した封止樹脂３２を形成する工程の後に行っても良い。更には、図２に示した導電パターン１４のパターニングを行った直後に、第１溝５４等を形成して、基板４０を個々のユニット４６に分割しても良い。
【図面の簡単な説明】
【００５８】
【図１】本発明の発光モジュールの構成を示す図であり、（Ａ）は斜視図であり、（Ｂ）および（Ｃ）は断面図である。
【図２】本発明の発光モジュールの製造方法を示す図であり、（Ａ）および（Ｂ）は断面図であり、（Ｃ）は平面図である。
【図３】本発明の発光モジュールの製造方法を示す図であり、（Ａ）〜（Ｃ）は断面図であり、（Ｄ）は平面図である。
【図４】本発明の発光モジュールの製造方法を示す図であり、（Ａ）及び（Ｂ）は断面図であり、（Ｃ）は平面図である。
【図５】本発明の発光モジュールの製造方法を示す図であり、（Ａ）は断面図であり、（Ｂ）は平面図である。
【図６】本発明の発光モジュールの製造方法を示す図であり、（Ａ）及び（Ｂ）は断面図であり、（Ｃ）は平面図である。
【図７】本発明の発光モジュールの製造方法を示す図であり、（Ａ）及び（Ｂ）は断面図であり、（Ｃ）は平面図である。
【図８】本発明の発光モジュールの製造方法を示す図であり、（Ａ）及び（Ｂ）は断面図であり、（Ｃ）は平面図である。
【図９】本発明の発光モジュールの製造方法を示す図であり、（Ａ）は断面図であり、（Ｂ）は平面図である。
【符号の説明】
【００５９】
１０      発光モジュール
１２      金属基板
１４      導電パターン
１６      金属細線
１８      凹部
２０      発光素子
２２      酸化膜
２４      絶縁層
２６      接合材
２８      底面
３０      側面
３２      封止樹脂
３４      被覆層
３６      第１傾斜部
３８      第２傾斜部
４０      基板
４２      絶縁層
４４      導電箔
４６      ユニット
４８      開口部
５０      金型
５２      凸部
５４      第１溝
５６      第２溝
【図１】
0005039474.tif 000002
【図２】
0005039474.tif 000003
【図３】
0005039474.tif 000004
【図４】
0005039474.tif 000005
【図５】
0005039474.tif 000006
【図６】
0005039474.tif 000007
【図７】
0005039474.tif 000008
【図８】
0005039474.tif 000009
【図９】
0005039474.tif 000010